(57)【要約】【課題】音声発生源の位置とマイクロフォンの位置との距離にかかわらず、ほぼ一定のマイクロフォン感度に制御するマイクロフォン感度自動制御装置を提供する。【解決手段】レベル検出器６によって予め定めた期間中においてマイクロフォン１から出力される出力音声信号を所定時間間隔毎にサンプリングし、前記予め定めた期間中においてサンプリングした出力音声信号レベルが予め定めた回数以上にわたってメモリ７に格納した閾値の範囲内に入ったとき制御回路８による制御の下にマイク増幅器２のゲインを予め定めた値だけ変更することによって、実質的にマイクロフォン感度を一定に制御する。【選択図】        図１
2004336634.tif 000002
【特許請求の範囲】
【請求項１】
マイクロフォンと該マイクロフォンから出力される出力音声信号を増幅するマイク増幅器を備えたマイクロフォン感度自動制御装置であって、予め定めた閾値を格納した記憶手段と、マイクロフォンから出力される出力音声信号のレベルを検出するレベル検出手段と、レベル検出手段によって検出した出力音声信号のレベルと記憶手段に格納された閾値とを比較し比較結果に基づきマイク増幅器のゲインを制御する制御手段とを備えたことを特徴とするマイクロフォン感度自動制御装置。
【請求項２】
請求項１記載のマイクロフォン感度自動制御装置において、レベル検出手段は予め定めた期間中にマイクロフォンから出力される出力音声信号を所定時間間隔毎にサンプリングし、サンプリングした出力音声信号レベルをサンプリング出力音声信号レベルとして検出し、制御手段は前記予め定めた期間中におけるサンプリング出力音声信号レベルが予め定めた回数以上にわたって閾値を超えたときマイク増幅器のゲインを予め定めた値だけ変更することを特徴とするマイクロフォン感度自動制御装置。
【発明の詳細な説明】
【０００１】
【発明の属する技術分野】
本発明は無線通信機における送信機などに利用することができるマイクロフォン感度自動制御装置に関する。
【０００２】
【従来の技術】
従来、マイクロフォンからの出力音声信号はマイク増幅器に供給されて一定のゲインで増幅のうえ送出されるのが通常であった。
【０００３】
一方、無線通信機において、スピーカとマイクロフォンが同一筐体に近接して配置されているとき、同時送受信の場合にハウリングを防止するために、受信音量を所定低音量にまで出力音量調整手段によって制御し、かつマイクロフォンから出力される出力音声信号を増幅するマイク増幅器のゲインを低下させて実質的にマイクロフォン感度を所定低感度にまで低下させることが知られている（例えば、特許文献１参照）。
【０００４】
【特許文献１】
実開平５−６３１３５号公報（第２頁、第１図）。
【０００５】
【発明が解決しようとする課題】
しかしながら、上記した単にマイクロフォンから出力される音声信号を一定のゲインで増幅する場合では、音声発生源、例えば発話者の口の位置とマイクロフォンとの距離によってマイクロフォンへの入力音圧レベルが変化する。距離が離れている場合はマイクロフォンから出力される音声信号レベルが低下して実質的にマイクロフォン感度が低い状態となって、受信側では音量のボリュウームを操作して音量を大きくする必要が生じると共に、ＳＮも悪化するという問題点があった。
【０００６】
また、特許文献１に開示されているものの場合は、受信側と独立してマイクロフォン感度を制御するものではなかった。
【０００７】
本発明は、音声発生源の位置とマイクロフォンの位置との距離にかかわらず、ほぼ一定のマイクロフォン感度に制御するマイクロフォン感度自動制御装置を提供することを目的とする。
【０００８】
【課題を解決するための手段】
本発明のマイクロフォン感度自動制御装置は、マイクロフォンと該マイクロフォンから出力される出力音声信号を増幅するマイク増幅器を備えたマイクロフォン感度自動制御装置であって、予め定めた閾値を格納した記憶手段と、マイクロフォンから出力される出力音声信号のレベルを検出するレベル検出手段と、レベル検出手段によって検出した出力音声信号のレベルと記憶手段に格納された閾値とを比較し比較結果に基づきマイク増幅器のゲインを制御する制御手段とを備えたことを特徴とする。
【０００９】
本発明のマイクロフォン感度自動制御装置によれば、マイクロフォンから出力される出力音声信号のレベルがレベル検出手段により検出され、レベル検出手段により検出された出力音声信号のレベルと記憶手段に格納された閾値とが比較され、比較結果に基づいてマイク増幅器のゲインが制御手段によって制御されるために、音声発生源の位置とマイクロフォンの位置との距離にかかわらず、マイクロフォン感度はほぼ一定に制御されることになる。
【００１０】
本発明のマイクロフォン感度自動制御装置において、レベル検出手段は予め定めた期間中にマイクロフォンから出力される出力音声信号を所定時間間隔毎にサンプリングし、サンプリングした出力音声信号レベルをサンプリング出力音声信号レベルとして検出し、制御手段は前記予め定めた期間中におけるサンプリング出力音声信号レベルが予め定めた回数以上にわたって閾値を超えたときマイク増幅器のゲインを予め定めた値だけ変更することを特徴とする。
【００１１】
本発明のマイクロフォン感度自動制御装置によれば、予め定めた期間中にマイクロフォンから出力される出力音声信号が所定時間間隔毎にサンプリングされ、サンプリングされた出力音声信号レベルがサンプリング出力音声信号レベルとして検出され、前記予め定めた期間中におけるサンプリング出力音声信号レベルが予め定めた回数以上にわたって閾値を超えたときマイク増幅器のゲインを予め定めた値だけ変更されて、実質的にマイクロフォン感度が一定に制御される。
【００１２】
【発明の実施の形態】
以下、本発明にかかるマイクロフォン感度自動制御装置を実施の一形態によって説明する。
【００１３】
図１は本発明の実施の一形態にかかるマイクロフォン感度自動制御装置の構成を示すブロック図である。
【００１４】
本発明の実施の一形態にかかるマイクロフォン感度自動制御装置１０は、マイクロフォン１から出力される出力音声信号を利得可変のマイク増幅器２に入力し増幅して送出する。マイク増幅器２は増幅器４と、マイクフォン１から出力される出力音声信号を増幅器４に導く可変抵抗器３と、増幅器４の出力信号を増幅器４の入力側に帰還する帰還抵抗器５とを備えて、マイクロフォン１から出力される出力音声信号を増幅する。図１において符号ａは音声発生源を示し、符号ｄは音声発生源ａとマイクロフォン１との間の距離を示している。
【００１５】
一方、マイクロフォン感度自動制御装置１０では、マイクロフォン１から出力される出力音声信号をレベル検出器６に供給して、マイクロフォン１から出力される出力音声信号のレベルを検出する。レベル検出器６は、後記するように、予め定めた期間中、例えば１秒の期間中においてマイクロフォン１から出力される出力音声信号を所定時間間隔毎に、例えば０．１秒毎にサンプリングし、サンプリングされた出力音声信号のレベルによりレベルを検出し、検出したレベルを一旦記憶する。
【００１６】
マイクロフォン感度自動制御装置１０は、さらに、予め定めた閾値を格納したメモリ７と、マイク増幅器ゲイン自動制御を指示するキースイッチ９と、キースイッチ９によってマイク増幅器２のゲイン自動制御が指示されているときメモリ７に格納されている閾値とレベル検出器６によって検出されたマイクロフォン１から出力される出力音声信号のレベルとを比較して比較結果に基づいて可変抵抗器３の抵抗値を増減制御してマイク増幅器２のゲインを制御するマイクロコンピュータからなる制御回路８とを備えている。
【００１７】
メモリ７には閾値として、例えば５ｍＶｒｍｓ、１０ｍＶｒｍｓ、２０ｍＶｒｍｓ、２５ｍＶｒｍｓが格納してある。制御回路８はレベル検出器６によって検出したマイクロフォンから出力される出力音声信号のレベルと閾値とを比較して、比較結果に基づきマイク増幅器２のゲインを制御する。
【００１８】
さらに詳細には、制御回路８は、レベル検出器６により検出されたマイクロフォン１からの出力音声信号のレベルとメモリ７に格納されている閾値とを比較し、出力音声信号のレベルが予め定めた回数にわたり閾値を超えととき、マイク増幅器２のゲインを予め定めたゲインだけ変更制御する。
【００１９】
以上のように構成したマイクロフォン感度自動制御装置１０の作用について、図２乃至図５によって説明する。
【００２０】
マイクロフォン感度自動制御装置１０が動作を開始し、キースイッチ９によってマイク増幅器２のゲイン自動制御が指示されていると（ステップＳ１）、マイク増幅器２のゲイン自動制御に入り、マイク増幅器２のゲインは０ｄＢ、つまり標準のマイクロフォン感度に設定される（ステップＳ２）。
【００２１】
ステップＳ２に続いてキースイッチ９によって自動制御終了指示がなされたか否かがチェックされる（ステップＳ３）。ステップＳ３において自動制御終了指示がなされたと判別されたときは、マイク増幅器２のゲイン自動制御が終了させられる。
【００２２】
ステップＳ３において自動制御終了指示がなされたと判別されないときは、引き続く各１秒中において０．１秒間隔（１秒に１０回の割合）でマイクロフォン１からの出力音声信号がレベル検出器６でサンプリングされて、サンプリングされた出力音声信号のレベル値が一旦記憶される（ステップＳ４）。この状態の一例を模式的に図３で示す。図３において太線はサンプリングタイミングを模式的に示し、符号ｂはマイクロフォン１から出力される出力音声信号波形を示している。
【００２３】
ステップＳ４に続いて無音状態か否かが判別される（ステップＳ５）。ステップＳ４におけるサンプリングによって、全てのサンプリング値が０ｍＶｒｍｓのときは、ステップＳ５において無音入力状態と判別されて、ステップＳ２が実行されて、マイク増幅器２のゲインは０ｄＢ、つまり標準のマイクロフォン感度に設定される。
【００２４】
ステップＳ５において無音入力状態と判別されないときは、マイクロフォン１から出力される出力音声信号レベルが読み出されて判定され、その高低に基づいてマイク増幅器２の利得を増、減、維持の制御が行われる（ステップＳ６）。
【００２５】
ステップＳ６における出力音声信号レベルの判定は、図３に示す１秒間における出力音声信号レベルに基づくサンプリング値の所定個以上、例えば８個以上が入る閾値範囲から判定される。具体的に、サンプリング値の８個以上が閾値０ｍＶｒｍｓ以上〜５ｍＶｒｍｓ未満の範囲内、閾値５ｍＶｒｍｓ以上〜１０ｍＶｒｍｓ未満の範囲内、閾値１０ｍＶｒｍｓ以上〜２０ｍＶｒｍｓ未満の範囲内、閾値２０ｍＶｒｍｓ以上〜２５ｍＶｒｍｓ未満の範囲内、閾値２５ｍＶｒｍｓ以上の範囲内の、何れの範囲内に入るかが検出されて、サンプリング値が８個以上入った閾値の範囲がマイクロフォン１から出力される出力音声信号レベルであると判定される。
【００２６】
ステップＳ６において、マイクロフォン１から出力される出力音声信号レベルが判定されると、判定されたレベルに基づいてマイク増幅器２のゲインが増加、、減少、または維持に制御される。
【００２７】
具体的には、図４に示すように、マイクロフォン１から出力される出力音声信号レベルが２５ｍＶｒｍｓ以上と判定されるとマイク増幅器２のゲインは６ｄＢ下げられ、２０ｍＶｒｍｓ以上２５ｍＶｒｍｓ未満と判定されるとマイク増幅器２のゲインは３ｄＢ下げられ（ステップＳ８）、続いてステップＳ３が実行される。また、マイクロフォン１から出力される出力音声信号レベルが１０ｍＶｒｍｓ以上２０ｍＶｒｍｓ未満と判定されるとマイク増幅器２のゲインは０ｄＢに設定、すなわち標準のゲインに設定されてステップＳ３が実行される。また、マイクロフォン１から出力される出力音声信号レベルが５ｍＶｒｍｓ以上１０ｍＶｒｍｓ未満と判定されるとマイク増幅器２のゲインは３ｄＢ上げられ、５ｍＶｒｍｓ未満と判定されるとマイク増幅器２のゲインは６ｄＢ上げられ（ステップＳ７）、続いてステップＳ３が実行される。
【００２８】
いま、マイクロフォン１から出力される出力音声信号波形が例えば図５において符号Ｆに示す如くであったときは、符号Ａに示す部分では無音状態と判定されてマイク増幅器２のゲインは０ｄＢに設定され、符号ＢおよびＤに示す部分では出力音声信号は１０ｍＶｒｍｓ以上２０ｍＶｒｍｓ未満と判定されされてマイク増幅器２のゲインは０ｄＢに設定され、符号Ｃに示す部分では出力音声信号は２０ｍＶｒｍｓ以上２５ｍＶｒｍｓ未満と判定されされてマイク増幅器２のゲインは３ｄＢ下げられ、符号Ｅに示す部分では出力音声信号は５ｍＶｒｍｓ以上１０ｍＶｒｍｓ未満と判定されされてマイク増幅器２のゲインは３ｄＢ上げられることになる。
【００２９】
また、キースイッチ９に代わって、無線通信機に適用した場合に送信スイッチ（ＰＴＴスイッチ）による送信指示期間中、上記のように、マイク増幅器２のゲインを制御するようにしてもよい。
【００３０】
【発明の効果】
以上説明したように、本発明のマイクロフォン感度自動制御装置によれば、音声発生源の位置とマイクロフォンの位置との距離にかかわらず、マイクロフォン感度はほぼ一定に制御されることになる。
【図面の簡単な説明】
【図１】本発明の実施の一形態にかかるマイクロフォン感度自動制御装置の構成を示すブロック図である。
【図２】本発明の実施の一形態にかかるマイクロフォン感度自動制御装置の作用の説明に供するフローチャートである。
【図３】本発明の実施の一形態にかかるマイクロフォン感度自動制御装置の作用の説明に供するマイクロフォンからの出力音声信号レベル検出説明図である。
【図４】本発明の実施の一形態にかかるマイクロフォン感度自動制御装置の作用の説明に供するマイクロフォンからの出力音声信号検出レベルとマイク増幅器のゲインとの関係図である。
【図５】本発明の実施の一形態にかかるマイクロフォン感度自動制御装置の作用の説明に供するマイクロフォンからの出力音声信号レベルとマイク増幅器ゲインとの関係説明図である。
【符号の説明】
１  マイクロフォン
２  マイク増幅器
３  可変抵抗器
４  増幅器
５  帰還抵抗器
６  レベル検出器
７  メモリ
８  制御回路
９  キースイッチ
１０  マイクロフォン感度自動制御装置
【図１】
2004336634.tif 000003
【図２】
2004336634.tif 000004
【図３】
2004336634.tif 000005
【図４】
2004336634.tif 000006
【図５】
2004336634.tif 000007